(57)【特許請求の範囲】
【請求項１】
所定のビット数のデータ信号と、フラグ信号と、同期信号とから成る所定の数のバースト信号から成る無線ブロックについてパケット通信を行なう際
に、１以上の該無線ブロックを１単位として前記データ信号のインタリーブを行なうインタリーブ方法において、
送信側は、４及び８を除き、前記所定の数の倍数であって前記無線ブロックが有するデータ信号の総ビット数の約数である値の中から、前記１単位におけるバースト信号の個数であるバースト長を選択して、該バースト長を受信側に送信し、
前記送信側は、前記バースト長と、前記総ビット数を該バースト長で割った数とに基づいてインタリーブを行なって、インタリーブしたデータを前記受信側に送信し、
前記受信側は、前記送信側から送信された前記バースト長で前記総ビット数を割った数と、該バースト長とに基づいて前記インタリーブしたデータのデインタリーブを行なうことを特徴とするインタリーブ方法。
【請求項２】
所定のビット数のデータ信号と、フラグ信号と、同期信号とから成る所定の数のバースト信号から成る無線ブロックについて、パケット通信を行なう際に、１以上の該無線ブロックを１単位として前記データ信号のインタリーブを行なうインタリーブ方法において、
送信側は、送信する無線ブロックのバースト信号の総数が、前記所定の数の倍数であって前記無線ブロックが有するデータ信号の総ビット数の約数である値でない場合には、前記データ信号について複数のインタリーブを行うことを決定し、前記所定の数の倍数であって前記無線ブロックが有するデータ信号の総ビット数の約数である値の中の幾つかの値の和が、前記バースト信号の総数と等しくなるように、幾つかの値を選抜し、該幾つかの値を全て、前記１単位における、それぞれのインタリーブに対応するバースト信号の個数であるバースト長として受信側に送信し、
前記送信側は、前記バースト長と、前記総ビット数を該バースト長で割った数とに基づいてインタリーブを行なって、インタリーブしたデータを前記受信側に送信し、
前記受信側は、前記送信側から送信された前記バースト長で前記総ビット数を割った数と、該バースト長とに基づいて前記インタリーブしたデータのデインタリーブを行なうことを特徴とするインタリーブ方法。
【請求項３】
インタリーブ前のバースト信号の各ビットのうち、少なくとも１ビットは、インタリーブ後の全てのバースト信号に割り当てることができるように、前記バースト長の最大値を制限する請求項２に記載のインタリーブ方法。
【請求項４】
インタリーブを行なうためデータ信号の総ビット数が通信バッファ容量を越えない値に前記バースト長の最大値を制限する請求項２又は３に記載のインタリーブ方法。
【請求項５】
前記送信側と前記受信側との間の伝送遅延時間が許容される時間内となるように前記バースト長の最大値を制限する請求項２乃至４のいずれか１項に記載のインタリーブ方法。
【請求項６】
前記送信側は、インタリーブしたデータを送信する前に前記受信側に送信される制御情報に前記バースト長を格納して該制御情報を送信し、前記受信側は、前記制御情報に格納された前記バースト長に基づいて、インタリーブしたデータをデインタリーブする請求項２乃至５のいずれか１項に記載のインタリーブ方法。
【請求項７】
前記送信側は、前記バースト誤りの減少の効果に応じて、前記幾つかの値を選別する請求項２乃至６のいずれか１項に記載のインタリーブ方法。
【請求項８】
前記送信側は、送受信するデータの種類に応じて、前記幾つかの値を選別する請求項２乃至７のいずれか１項に記載のインタリーブ方法。
【請求項９】
前記送信側は、送受信の電波伝播特性に応じて、前記幾つかの値を選別する請求項２乃至８のいずれか１項に記載のインタリーブ方法。
【請求項１０】
前記所定の数が４である請求項２乃至９のいずれか１項に記載のインタリーブ方法。
【請求項１１】
１つの無線ブロックにおけるデータ信号のビット数が４４８ビットである請求項２乃至１０のいずれか１項に記載のインタリーブ方法。
【請求項１２】
前記送信側は、１つの無線ブロックにおけるデータ信号のビット数が４４８＋４ｎビット（ｎは自然数）であった場合には、インタリーブを行なう前に、前記データ信号のビット数が４４８ビットとなるようにパンクチャド符号化によって前記データ信号のビット数の調整を行ない、調整されたデータ信号でインタリーブを行なう請求項２乃至１１のいずれか１項に記載のインタリーブ方法。
【請求項１３】
前記送信側は、前記調整により、インタリーブされなかった４ｎビットのデータ信号を前記フラグ信号とし、該フラグ信号に前記バースト長を示す情報を格納して、該フラグ信号とインタリーブ後のデータとを前記受信側に送信する請求項１２に記載のインタリーブ方法。
【発明の詳細な説明】
【０００１】
【発明の属する技術分野】
本発明は、携帯電話をはじめとする移動体通信のパケット通信に適用されるインタリーブ方法であって、特に、ＧＳＭ（移動通信用広域システム（Global System for Mobile Communications））方式携帯電話のパケット通信であるＧＰＲＳ（汎用パケット無線サービス（General Packet Radio Service））に適用されるインタリーブ方法に関する。
【０００２】
【従来の技術】
従来、携帯電話は音声通話機能を主体としたものであったため、携帯電話の通信網は回線交換網を基本に構成されており、データ通信時でも回線交換の利用に甘んじていた。
【０００３】
しかし現在、携帯電話の通信網は、インターネットの普及に伴い、データ通信機能やマルチメディアの機能を取り入れたものへと進化している。最近では、携帯電話のデータ通信は、国内ではｉモード、海外では汎用パケット無線サービス（以下、ＧＰＲＳ）と呼ばれるパケット交換を利用したパケット通信の通信網に移行しつつある。
【０００４】
また、携帯電話におけるデータ通信では、バースト誤りを減少させる目的で、チャネルコーディングの処理においてインタリーブを実施している。図４は、チャネルコーディング処理を行なう送信側処理部の構成を示すブロック図である。この処理部は、誤り訂正符号化部１０１と、誤り訂正符号化部１０２と、パンクチャド符号化処理部１０３と、インタリーブ部１０５とから構成される。誤り訂正符号化部１０１は、パケットデータブロックをブロック符号化して出力する。誤り訂正符号化部１０２は、誤り訂正符号化部１０１から出力されたデータを畳み込み符号化して出力する。パンクチャド符号化処理部１０３は、誤り訂正符号化部１０２から出力されたデータをパンクチャド符号化（間引き）して出力する。インタリーブ部１０５は、パンクチャド符号化処理部１０３から出力されたデータをインタリーブして出力する。
【０００５】
回線交換を利用したデータ通信では、通信チャネルが一度確立されると、その通信チャネルが切断されるまで回線は接続した状態で維持される。そのため、回線交換を利用したデータ通信では、基本的にバースト信号の連続性は保証される。この場合、インタリーブのバースト長は、第１にバースト誤りの減少の効果、第２にインタリーブの対象となるデータ信号の総ビット数の約数、第３にインタリーブに要する通信バッファ容量、第４に送受信間で許容される伝送遅延時間、第５に音声データや映像データ等の通信データの種類、第６にフェージング等の電波伝播特性などを考慮して決定されている。例えば、ＧＳＭ方式携帯電話のデータ通信におけるフルレート４．８ｋｂｉｔ／ｓ、９．６ｋｂｉｔ／ｓ、１４．４ｋｂｉｔ／ｓでは、インタリーブのバースト長は１９となっている。
【０００６】
一方、パケット交換機を利用したパケット通信では、通信チャネルは他の通信と時分割で共有されるため、バースト信号の連続性は必ずしも保証されていない。このようなパケット通信では、所定の数（ＧＰＲＳでは４）のバースト信号から構成される１つの無線ブロックを基本単位として、所定の数のバースト信号を用いてインタリーブを実施している。
【０００７】
図５は、ＧＳＭ方式携帯電話における無線ブロックのデータ構成を示すブロック図である。図５に示すように、このデータは、幾つかの無線ブロックから構成される。図５には、無線ブロック１〜３が図示されている。各無線ブロック１〜３は、それぞれ連続する４つのバースト信号から構成されている。各バースト信号は、２つのデータ信号と２つのフラグ信号と同期信号とから構成されている。
【０００８】
図５に示す無線ブロックでインタリーブの対象となるのは、データ信号だけであり、フラグ信号および同期信号はインタリーブの対象とはならない。データ信号のインタリーブのバースト長を４とすると、データ信号▲１▼〜▲８▼を１つにまとめたうえでインタリーブが行われる。
【０００９】
なお、ＧＳＭ方式携帯電話では、前記でインタリーブされたデータ信号は、さらに各々のバースト信号内で所定の規則により並び換えが行われ、２次元的なインタリーブを構成している。
【００１０】
図６は、上述のようにインタリーブを行なうバースト長を４とした場合のインタリーブの方法を示す図である。各無線ブロックのデータ信号の総ビット数は４４８であるとし、無線ブロック２の各バースト信号のデータ信号のビット数は、それぞれ１１２ビットであるとする。各無線ブロックにおけるデータ信号のデータ列をＹ（０〜４４７）とすると、データ信号を０から順番に列方向にマトリックス状のメモリ等に書き込んでいく。そして、無線ブロックのデータがそのメモリに書き込まれると、そのメモリを行方向に読み出していく。このようにしてインターリーブが実行される。したがって、インタリーブ後のｎ番目のバースト信号に割り当てられるデータ列Ｙは、Ｙ＝４ｍ＋（ｎ−１）と表現することができる（ただし、ｍ＝０〜１１１、ｎ＝１〜４）。パケット通信では、前述のバースト信号の連続性が保証されていないため、パケット通信におけるインタリーブのバースト長（４）は、無線ブロックのバースト信号の数（４）と一致している必要がある。
【００１１】
一方、ＧＰＲＳのチャネルコーディング処理は、タイプ１〜タイプ４の４種類がある。タイプ１では、ビット長４０のファイア符号と呼ばれるバースト誤り訂正符号が採用され、タイプ２、タイプ３、タイプ４では、別の種類のビット長１６の誤り訂正符号が採用され、それぞれのタイプによって送受信される通信データのタイプが異なっている。そのため、タイプ２、タイプ３、タイプ４は、タイプ１に比べ、バースト誤りに対して弱いという問題がある。バースト長を長くすることによって、バースト誤りの発生は低減化するが、ＧＰＲＳに代表される携帯電話等の移動体通信におけるパケット通信で行なわれるインタリーブのバースト長は４で固定となっているため、バースト長を長くしてバースト誤りを低減化することができなかった。
【００１２】
以上述べたように、ＧＰＲＳに代表される携帯電話等の移動体通信におけるパケット通信で行なわれるインタリーブのバースト長は固定となっており、バースト長を調整することによってバースト誤りを低減化することができないというという問題があった。
【００１３】
【発明が解決しようとする課題】
以上述べたように、ＧＰＲＳに代表される携帯電話等の移動体通信におけるパケット通信で行なわれるインタリーブのバースト長は固定となっているため、バースト長を調整することによって、バースト誤りを低減化することができないという問題があった。
【００１４】
本発明は、バースト誤りを低減化することができるインタリーブ方法を提供することを目的とする。
【００１５】
【課題を解決するための手段】
上記課題を解決するために、本発明のインタリーブ方法では、所定のビット数のデータ信号と、フラグ信号と、同期信号とから成る所定の数のバースト信号から成る無線ブロックについてパケット通信を行なう際
に、１以上の該無線ブロックを１単位として前記データ信号のインタリーブを行なうインタリーブ方法において、送信側は、４及び８を除き、前記所定の数の倍数であって前記無線ブロックが有するデータ信号の総ビット数の約数である値の中から、前記１単位におけるバースト信号の個数であるバースト長を選択して、該バースト長を受信側に送信し、前記送信側は、前記バースト長と、前記総ビット数を該バースト長で割った数とに基づいてインタリーブを行なって、インタリーブしたデータを前記受信側に送信し、前記受信側は、前記送信側から送信された前記バースト長で前記総ビット数を割った数と、該バースト長とに基づいて前記インタリーブしたデータのデインタリーブを行なうことを特徴とする。
【００１６】
本発明のインタリーブ方法では、４及び８を除き、前記所定の数の倍数であって前記無線ブロックが有するデータ信号の総ビット数の約数である値の中から所定の状況に応じた値をバースト長とすることによって、バースト信号の連続性が保証されていない移動体通信のパケット通信においても、バースト信号方向のインタリーブの長さを動的かつ適応的に可変することができるため、状況に応じてバースト長を変更してバースト誤りを低減化することができる。
【００１７】
また、本発明のインタリーブ方法では、所定のビット数のデータ信号と、フラグ信号と、同期信号とから成る所定の数のバースト信号から成る無線ブロックについて、パケット通信を行なう際に、１以上の該無線ブロックを１単位として前記データ信号のインタリーブを行なうインタリーブ方法において、送信側は、送信する無線ブロックのバースト信号の総数が、前記所定の数の倍数であって前記無線ブロックが有するデータ信号の総ビット数の約数である値でない場合には、前記データ信号について複数のインタリーブを行うことを決定し、前記所定の数の倍数であって前記無線ブロックが有するデータ信号の総ビット数の約数である値の中の幾つかの値の和が、前記バースト信号の総数と等しくなるように、幾つかの値を選抜し、該幾つかの値を全て、前記１単位における、それぞれのインタリーブに対応するバースト信号の個数であるバースト長として受信側に送信し、前記送信側は、前記バースト長と、前記総ビット数を該バースト長で割った数とに基づいてインタリーブを行なって、インタリーブしたデータを前記受信側に送信し、前記受信側は、前記送信側から送信された前記バースト長で前記総ビット数を割った数と、該バースト長とに基づいて前記インタリーブしたデータのデインタリーブを行なうことを特徴とする。
【００１８】
本発明のインタリーブ方法では、無線ブロックのバースト信号の数の倍数であって、無線ブロックが有するデータ信号の総ビット数の約数である値の中から幾つかの値をバースト長として選択し、その幾つかのバースト長を組み合せてインタリーブを行なうことができるため、任意の数の無線ブロックについてインタリーブを実行することができる。
【００１９】
【発明の実施の形態】
次に、本発明の実施形態のインタリーブ方法について図面を参照して詳細に説明する。
【００２０】
（第１の実施形態）
まず、本発明の第１の実施形態のインタリーブ方法について説明する。本実施形態のインタリーブ方法では、インタリーブのバースト長を可変とする。そのバースト長は、１つの無線ブロックのデータ信号の総ビット数の約数であって、１つの無線ブロックが有する各バースト信号の数の倍数の中から決定される。つまり、１つの無線ブロックのデータ信号の総ビット数が４４８ビットであり、無線ブロックのバースト信号の数が４であるとすると、インタリーブのバースト長は、４、８、１６、２８、３２、５６、６４、１１２、２２４、４４８のいずれかとなる。
【００２１】
図１は、本実施形態のインタリーブ方法を示す図である。図１の無線ブロックは、４つのバースト信号を有する。したがって、図１の無線ブロックを有するインタリーブ方法のバースト長は４の倍数となる。
【００２２】
図１（ａ）には、インタリーブのバースト長が４のときのインタリーブの処理の様子が示されている。前述のように、インタリーブのバースト長が４であるときには、インタリーブに要するバースト信号の数は４となり、インタリーブに要する無線ブロックの数は１となる。つまり、この１つの無線ブロックがインタリーブの最小単位となる。本実施形態のインタリーブ方法では、インタリーブの最小単位である無線ブロックを複数組み合せることにより、インタリーブのバースト長を変更する。
【００２３】
図１（ｂ）には、インタリーブのバースト長が８のときのインタリーブの処理の様子が示されている。インタリーブのバースト長が８であるときには、インタリーブのバースト長と無線ブロックのバースト信号の数とを一致させる必要があるため、インタリーブに要するバースト信号の数は８となり、インタリーブに要する無線ブロックの数は２となる。各無線ブロックにおけるデータ信号のデータ列をＹ（０〜４４７）とすると、インタリーブ後のｎ番目のバースト信号に割り当てられるデータ列Ｙは、Ｙ＝８ｍ＋（ｎ−１）と表現することができる（ただし、ｍ＝０〜５５、ｎ＝１〜８）。
【００２４】
図１（ｃ）には、インタリーブのバースト長が１６のときのインタリーブの処理の様子が示されている。インタリーブのバースト長が１６であるときには、インタリーブに要するバースト信号の数は１６となり、インタリーブに要する無線ブロックの数は４となる。各無線ブロックにおけるデータ信号のデータ列をＹ（０〜４４７）とすると、インタリーブ後のｎ番目のバースト信号に割り当てられるデータ列Ｙは、Ｙ＝１６ｍ＋（ｎ−１）と表現することができる（ただし、ｍ＝０〜２７、ｎ＝１〜１６）。
【００２５】
図１（ｄ）には、インタリーブのバースト長が２８のときのインタリーブの処理の様子が示されている。インタリーブのバースト長が２８であるときには、インタリーブに要するバースト信号の数は２８となり、無線ブロックの数は７となる。各無線ブロックにおけるデータ信号のデータ列をＹ（０〜４４７）とすると、インタリーブ後のｎ番目のバースト信号に割り当てられるデータ列Ｙは、Ｙ＝２８ｍ＋（ｎ−１）と表現することができる（ただし、ｍ＝０〜１５、ｎ＝１〜２８）。
【００２６】
図１（ｅ）には、インタリーブのバースト長が３２のときのインタリーブの処理の様子が示されている。インタリーブのバースト長が３２であるときには、インタリーブに要するバースト信号の数は３２となり、無線ブロックの数は８となる。各無線ブロックにおけるデータ信号のデータ列をＹ（０〜４４７）とすると、インタリーブ後のｎ番目のバースト信号に割り当てられるデータ列Ｙは、Ｙ＝３２ｍ＋（ｎ−１）と表現することができる（ただし、ｍ＝０〜１３、ｎ＝１〜３２）。
【００２７】
ところで、インタリーブ後のバースト信号の全てに、インタリーブ前のバースト信号のデータを少なくとも１つ割り当てると、インタリーブのバースト長の最大値は１１２となる。また、インタリーブのバースト長を５６、６４、１１２とすることもできるが、この場合、送信側および受信側に多くの通信バッファ容量を必要とするので、本実施形態のインタリーブ方法では、バースト長は実用的な範囲である４〜３２を用いている。ただし、インタリーブに要するバースト信号の数が多くなればなるほど、送信側および受信側に多くの通信バッファ容量を必要とするため、インタリーブのバースト長の最大値は、送信側および受信側に搭載されている通信バッファ容量によって制限される。また、インタリーブに要するバースト信号の数が多くなればなるほど、送信側と受信側との間の伝送遅延時間も長くなるため、インタリーブのバースト長の最大値は、許容される伝送遅延時間によっても制限される。
【００２８】
本実施形態のインタリーブ方法では、送受信のバースト誤りの減少の効果に応じてインタリーブのバースト長を変更することができる。一般的に、インタリーブのバースト長が長くなればなるほど、バースト誤りの発生率は低減する。したがって、本実施形態のインタリーブ方法では、バースト誤りが頻繁に発生する場合には、送信側は、インタリーブのバースト長を大きくし、バースト誤りがほとんど発生しないようなときには、インタリーブのバースト長を小さくする。また、本実施形態のインタリーブ方法では、通信データの種類や電波伝播特性などに応じてインタリーブのバースト長を変更することもできる。
【００２９】
上述したように、本実施形態のインタリーブ方法では、送信側が、上述した通信状況に応じて、送信側がインタリーブのバースト長を変更する。そのため、受信側では、インタリーブされたデータ信号をデインタリーブする必要があるため、送信側でのインタリーブのバースト長を、何らかの方法で知る必要がある。
【００３０】
そこで、本実施形態のインタリーブ方法では、送信側でのインタリーブのバースト長を受信側に通知するために、２つの方法が用いられる。第１の方法では、送信側がデータを送信する前に、受信側に送信する制御情報の中に、送信側でのインタリーブのバースト長を示す情報を含めて送信する。第２の方法では、前述のデータの無線ブロックのフラグ信号内にインタリーブのバースト長を格納してデータとともにインタリーブのバースト長を送信する。これらの方法を用いることによって、受信側では、実際に送信側が用いたインタリーブのバースト長に基づいて、デインタリーブを行なうことができる。
【００３１】
図２は、本実施形態のインタリーブ方法によってインタリーブされたデータの一例を示す図である。ある特定の４の倍数を４ａ（ａは２以上の自然数）とし、バースト長を４ａとしてインタリーブされたデータをインタリーブＡとする。また、４ａとは異なる、ある特定の４の倍数を４ｂとし、バースト長を４ｂとしてインタリーブされたデータをインタリーブＢとする。また、４ａと４ｂとは異なるある特定の４の倍数であって最大値である値を４ｍとし、バースト長を４ｍとしてインタリーブされたデータをインタリーブＭとする。任意の４の倍数を４ｘとすると、ｘは、１、ａ、ｂ、ｍの中から選んだ数の和として表すことができ、ｘ＝１＋ａ＋ｂ＋ｍが成り立つとすると、インタリーブＸは、図２のように表すことができる。すなわち、本実施形態のインタリーブ方法では、送信側は、送信する無線ブロックのバースト信号の総数ｘが、無線ブロック中のバースト信号の数の倍数であって無線ブロックが有するデータ信号の総ビット数の約数である値１、…ａ、…ｂ、…ｍのいずれかでない場合には、１、…ａ、…ｂ、…ｍの中の幾つかの値の和（図２では、１＋ａ＋ｂ＋ｍ）が、バースト信号の総数ｘと等しくなるように、幾つかの値（１、ａ、ｂ、ｍ）を選抜し、幾つかの値を（１、ａ、ｂ、ｍ）を全て、バースト長として受信側に送信する無線ブロックの各部のインタリーブを行なう。本実施形態のインタリーブ方法では、上述のように、幾つかのバースト長を組み合せて、任意の数の無線ブロックについてインタリーブを実行することができる。
【００３２】
なお、本実施形態のインタリーブ方法では、バースト誤りからランダム誤りへの変換をさらに強化するため、インタリーブを行なった後にさらにインタリーブによるデータの並び替えを行ない、２次元的なインタリーブを行なってもよい。
【００３３】
（第２の実施形態）
次に、本発明の第２の実施形態のインタリーブ方法について図面を参照して詳細に説明する。本実施形態のインタリーブ方法では、第１の実施形態のインタリーブ方法に基づいてインタリーブを行なうが、インタリーブを行なう無線ブロックのデータ信号の総ビット数が４４８＋４ｎビット（ｎは自然数）であるとする。
【００３４】
無線ブロックは、パケットデータブロックをチャネルコーディング処理することによって形成される。図３は、チャネルコーディングを行なう送信側処理部の構成を示すブロック図である。この処理部は、インタリーブ処理部１０５の代わりにインタリーブ処理部１０５’を備えている点と、パンクチャド符号化部１０３と、インタリーブ処理部１０５’との間に、パンクチャド符号化部１０４を備える点とが図４の送信側処理部の構成と異なっている。
【００３５】
インタリーブ処理部１０５’は、第１の実施形態のインタリーブ方法に示すインタリーブを行なう。
【００３６】
パンクチャド符号化部１０４は、４ｎビット分のデータを周期的に消去するパンクチャド符号の処理を行なって、無線ブロックのデータ信号のうち、インタリーブを行なうデータ信号のビット数が４４８ビットとなるように、データ信号のビット数の調整を行なう。パンクチャド符号化部１０４で調整された４ｎビット分のデータ信号は、無線ブロックのフラグ信号として割り当てられ、インタリーブのバースト長を示す情報が格納される。インタリーブ部処理部１０５’は、調整された４４８ビットのデータ信号のインタリーブを行なう。
【００３７】
ＧＳＭ方式携帯電話のパケット通信方式であるＧＰＲＳでは、無線ブロックのデータ信号は、４５６ビットであり、チャネルコーディングのタイプ２とタイプ３とでは、上述のようなパンクチャド符号化が用いられる。パンクチャド符号化部１０４では、８ビット分のデータを周期的に消去するパンクチャド符号の処理を行なって、無線ブロックのデータ信号のうち、インタリーブを行なうデータ信号のビット数が４４８ビットとなるように、データ信号のビット数の調整を行なう。インタリーブに直接関係しなくなった８ビット分のデータはフラグ信号として割り当てられ、インタリーブのバースト長を示す情報が格納される。
【００３８】
【発明の効果】
以上述べたように、本発明のインタリーブ方法では、移動体通信のパケット通信において、無線ブロックのバースト信号の数の倍数であって、無線ブロックが有するデータ信号の総ビット数の約数である値の中からバースト誤りの発生頻度、通信バッファ容量、送信と受信との間で許容される伝送遅延時間、通信データの種類、電波伝播特性等の状況に応じた値をバースト長とすることによって、バースト信号の連続性が保証されていない移動体通信のパケット通信においても、前述の所定の状況に応じて、バースト信号方向のインタリーブの長さを動的かつ適応的に可変することができるため、バースト誤りを低減化することができる。
【００３９】
また、本発明のインタリーブ方法では、無線ブロックのバースト信号の数の倍数であって、無線ブロックが有するデータ信号の総ビット数の約数である値の中から幾つかの値をバースト長として選択し、その幾つかのバースト長を組み合せてインタリーブを行なうことができるため、任意の数の無線ブロックについてインタリーブを実行することができる。
【図面の簡単な説明】
【図１】本発明の第１の実施形態のインタリーブ方法を示すブロック図である。
【図２】本発明の第１の実施形態のインタリーブ方法によってインタリーブされたデータの一例を示す図である。
【図３】本発明の第２の実施形態のインタリーブ方法におけるチャネルコーディング処理を行なう送信側処理部の構成を示すブロック図である。
【図４】ＧＳＭ方式携帯電話における無線ブロックのデータ構成を示すブロック図である。
【図５】従来のチャネルコーディング処理を行なう送信側処理部の構成を示すブロック図である。
【図６】バースト長を４とした場合のインタリーブの方法を示す図である。
【符号の説明】
１０１、１０２    誤り訂正符号化部
１０３、１０４    パンクチャド符号化部
１０５、１０５’    インタリーブ部
【図１】
0004336809.tif 000002
【図２】
0004336809.tif 000003
【図３】
0004336809.tif 000004
【図４】
0004336809.tif 000005
【図５】
0004336809.tif 000006
【図６】
0004336809.tif 000007